(57)【要約】  かんぬき３と、かんぬきを移動させるためのフォロア５と、操作軸４とを含む、制御可能なハンドル操作を備えたドア・ロックであって、操作軸４の両端部に、フォロア５を操作するためのアクチュエータを設置することができ、それによってロックの各側からフォロア５への力伝達が、移動可能な結合部材１０ａ、１０ｂによって確立され、結合部材１０ａ、１０ｂはソレノイド構成８、９などによって制御され、フォロア５は、フォロア５の異なる側で操作軸４に設置され且つフォロア５に回転可能に固定された２つの別個のトーション・ユニット６ａ、６ｂを備え、このユニットが、結合部材１０ａ、１０ｂを利用することによって、フォロア５との力伝達に接続されることができるドア・ロック。ドア・ロックは、一方のロック側から他方のロック側に移動可能な選択部材７を有し、この部材は、各場合において選択されたトーション・ユニット６ａ、６ｂをフォロア５に対して回転不可能であるように留め、それによりロックのその特定の側で操作軸４からフォロア５への力伝達が接続され、ロックの他方の側では、ソレノイド構成８、９の制御の下で結合部材１０ａ、１０ｂによって、操作軸４からフォロア５への力伝達が選択的に接続または切断されることができる。
2007510077.tif 000002
【特許請求の範囲】
【請求項１】
制御可能なハンドル操作を備えたドア・ロックであって、かんぬき（３）と、前記かんぬきを移動させるためのフォロア（５）と、操作軸（４）とを含み、該操作軸（４）の両端部に、前記フォロア（５）を操作するためのアクチュエータを設置することができ、それによって前記ロックの各側から前記フォロア（５）への力伝達が、移動可能な結合部材（１０ａ、１０ｂ）によって確立され、該結合部材（１０ａ、１０ｂ）はソレノイド構成（８、９）などによって制御され、前記フォロア（５）は、該フォロア（５）の異なる側で前記操作軸（４）に設置されるトーション・ユニット（６ａ、６ｂ）であって、前記フォロア（５）に回転可能に固定される２つの別個のトーション・ユニット（６ａ、６ｂ）を備え、該ユニットは、前記結合部材（１０ａ、１０ｂ）を利用することによって、前記フォロア（５）との力伝達に接続されることができる、制御可能なハンドル操作を備えたドア・ロックにおいて、
該ドア・ロックは、一方のロック側から他方のロック側に移動可能な選択部材（７）を有し、該部材は、各場合において選択された前記トーション・ユニット（６ａ、６ｂ）を前記フォロア（５）に対して回転不可能であるように留め、それにより前記ロックのその特定の側で前記操作軸（４）から前記フォロア（５）への力伝達が接続され、前記ロックの他方の側では、前記ソレノイド構成（８、９）の制御の下で前記結合部材（１０ａ、１０ｂ）によって、前記操作軸（４）から前記フォロア（５）への力伝達が選択的に接続または切断されることができることを特徴とするドア・ロック。
【請求項２】
前記選択部材（７）が、前記操作軸（４）の方向に移動可能なねじなどであることを特徴とする請求項１に記載のドア・ロック。
【請求項３】
前記フォロア（５）が、前記選択部材（７）のためのねじ切り開口（１２）を備えていることを特徴とする請求項１または請求項２に記載のドア・ロック。
【請求項４】
前記トーション・ユニット（６ａ、６ｂ）が凹部（１３ａ、１３ｂ）などを備え、該凹部は、前記選択部材（７）の少なくとも一部を受け入れるように成形されていることを特徴とする請求項１から請求項３までのいずれか１項に記載のドア・ロック。
【請求項５】
前記選択部材（７）が拡大ヘッド（７ａ）を備え、該拡大ヘッド（７ａ）は、前記選択部材（７）が前記凹部（１３ａ、１３ｂ）などに設置されたときに、前記凹部（１３ａ、１３ｂ）などと協働することを特徴とする請求項４に記載のドア・ロック。
【請求項６】
前記フォロア（５）が案内部材（１４ａ、１４ｂ）を備え、該案内部材（１４ａ、１４ｂ）は、前記フォロア（５）の前記開口（１２）の中心軸線の方向で前記トーション・ユニット（６ａ、６ｂ）の前記凹部（１３ａ、１３ｂ）などに延びており、且つ前記選択部材（７）と協働することを特徴とする請求項４または請求項５に記載のドア・ロック。
【請求項７】
前記案内部材（１４ａ、１４ｂ）が案内面（１４ａ１、１４ｂ１）さらに備え、該案内面（１４ａ１、１４ｂ１）は、前記フォロア（５）が回転される間、前記トーション・ユニットにある突出部（１５ａ、１５ｂ）と協働するように構成されていることを特徴とする請求項６に記載のドア・ロック。
【請求項８】
前記フォロア（５）の前記開口（１２）が突出部（１７）内に構成され、前記各トーション・ユニット（６ａ、６ｂ）がそれに対応する突出部（１８ａ、１８ｂ）をそれぞれ備え、この突出部（１８ａ、１８ｂ）に、前記選択部材（７）のための開口（１９ａ、１９ｂ）が構成され、それによって前記選択部材（７）を設置するための前記フォロアの前記開口（１２）に対して同心円状に前記開口（１９ａ、１９ｂ）が構成されることができることを特徴とする請求項１から請求項３までのいずれか１項に記載のドア・ロック。
【発明の詳細な説明】
【技術分野】
【０００１】
本発明は、請求項１の前段部分に記載の制御可能なハンドル操作を備えたドア・ロックに関する。
【背景技術】
【０００２】
ソレノイド構成などの手段によるドア・ロックのハンドル操作の制御が、用途に応じて様々な方式で達成可能である。この構成は、例えばソレノイドが通電されたときにハンドルを使用してアクセスすることを許可または可能にするようなものとすることができ、そのとき、ハンドルからロックのかんぬきへの力伝達が接続される。別法として、この解決策を逆にすることもでき、したがってこの構成は、ソレノイドが通電されていないときにハンドルを使用してアクセスすることを可能にする。この構成の動作モードの選択は、アクセスの安全性、すなわち退出の安全性に重点が置かれているか、或いはロックされた空間のセキュリティに重点が置かれているか次第である。
【０００３】
実際には、この構成は通常、キー操作ロック機構などによって外側から常に、またハンドルや回転ノブなどによって内側から常にドアを開けることができるようなものであり、したがって同時に、このハンドル操作の選択的な結合は、２部片の駆動シャフト、すなわち分割された駆動シャフトを必要とする。適用の場所によって、この構成は、例えばドアの両側にハンドルなどが設けられるようなものにすることもでき、それにより、ハンドルによって一方の側から、状況に応じて選択的にのみ他方の側から、ドアを常に開けることができる。
【０００４】
上述の種類のドア・ロックを設置するとき、例えば異なる方向に旋回可能なドアのために同じロック・ケーシングを使用することができるように、ドアのどちら側に（すなわちドア・ロックのロック・ケーシングのどちら側に）選択的なハンドル操作を構成する必要があるかを決定する選択を行わなければならない。欧州特許出願公開第１３５４１１２号明細書に開示された解決策では、ロックのアクチュエータの操作軸に設置される別個の適合部材が採用され、それにより適合部材が、ロックの選択された側でのアクチュエータによるフォロアの直接的な操作を防止する。この場合、結合部材としてラッチを利用して、ソレノイドの制御の下、トーション・ユニットによって操作軸からフォロアへ力伝達が行われる。ロックの他方の側では、力伝達は継続的に接続される。
【０００５】
欧州特許出願公開第５３７５３１号明細書には、操作軸からフォロアへの一定の力伝達を確立し、且つロックの一方の側から他方の側へ移すことができる解決策が開示されている。この解決策では、ロックの一方の側から他方の側へ移動可能であり、且つ選択された側でラッチをトーション・ユニットと連結する別個の選択部材が利用されており、それにより操作軸からトーション・ユニットおよび前記ラッチを介してフォロアへ力伝達が提供される。この構成ではしたがってラッチを介して一定の力伝達が常に確立されており、ロックの他方の側から力伝達を提供することはできず、それゆえこの構成はいかなる種類のソレノイドベースの選択処置も含まない。
【発明の開示】
【発明が解決しようとする課題】
【０００６】
本発明の目的は、ドアの一方の側からロックを常に使用することができ、他方の側からの使用が選択的に制御されるようにドア・ロックを設置して利用することができる広範囲の可能性を提供する新規の解決策を提供することである。この解決策によれば、ロック・ケーシングは、ドアに設置される際、ドアが旋回する方向に関係なくドアに使用することができるよう、変換可能とされるべきである。さらなる狙いは、ロック・ケーシングで行われる変更を、設置構成によって、ロック・ケーシングを開くことなくできるだけ単純且つ簡単に実現することができるようにすることである。この解決策は、単純で信頼できる構造もまた有するべきである。
【課題を解決するための手段】
【０００７】
本発明の目的は、請求項１および他の請求項においてより詳細に説明される形態で実現することができる。本発明によれば、ドア・ロックは、一方のロック側から他方のロック側に移動可能な選択部材を備え、この部材が、各場合に選択されるトーション・ユニット（６ａ、６ｂ）をフォロア（５）に対して回転不可能であるように留め、それによりロックのその特定の側で操作軸（４）からフォロア（５）への力伝達が接続され、ロックの他方の側では、ソレノイド構成の制御の下で前記結合部材によって、操作軸（４）からフォロア（５）への力伝達を選択的に接続または切断することができる。この構成は、操作軸に設置すべき別個の適合部材を必要としない。したがって、トーション・ユニットおよびそれらのスピンドル開口は、操作軸からフォロアを直接回転することが全くできないように設計することができ、これは構成のセキュリティに寄与することになる。その一方で、結合部材として働くラッチによる選択が行われず、継続する力伝達を受けるロック側での力伝達がラッチによって確立されないので、その結果、ラッチに対する強度要件が小さくなる。
【０００８】
実際には、選択部材は、好ましくは、操作軸の方向で移動可能なねじなどである。フォロアは、選択部材のためのねじ切り開口を設けられる。したがって、選択部材をその所定位置にしっかりと設置することができ、これはトーション・ユニットとフォロアとの接続を保証する。
【０００９】
本発明の１つの好ましい実施例によれば、トーション・ユニットには、凹部などが設けられ、この凹部は、選択部材の少なくとも一部を受け取るように成形される。それに応じて、選択部材には、好ましくは拡大ヘッドが設けられ、選択部材が前記凹部などに設置されたときに、拡大ヘッドが前記凹部などと協働する。
【００１０】
力伝達の観点から、フォロアの開口の中心軸の方向でトーション・ユニットの前記凹部などに延在し、選択部材と協働する案内部材がフォロアに設けられるとき、有利な適用が達成される。さらに、前記案内部材に案内面が設けられる場合もあり、案内面は、フォロアが回転される間に、トーション・ユニットにある突出部と協働するように構成される。
【００１１】
本発明の１つの代替実施例によれば、フォロアの前記開口が突出部内に構成され、各トーション・ユニットがそれに対応する突出部をそれぞれ設けられ、その突出部に、選択部材のための開口が構成され、それにより、選択部材を設置するためのフォロアの開口に対して同心円状に開口を構成することができる。
【００１２】
以下、添付の図面を参照しながら、例として本発明を説明する。
【実施例】
【００１３】
図中で、参照番号１は、前面プレート２と、かんぬき３と、回転可能フォロア５を設けられた操作軸４とを有するドア・ロックのロック・ケーシングを示し、回転可能フォロア５は、力伝達部材２０によって、かんぬき３をそのロック位置から、ロック・ケーシング１内のその後退位置に移動させるように構成されている。フォロア５の回転は、操作軸に設置されたアクチュエータ（図示せず）によって、例えばハンドルまたはロック機構によって達成され、アクチュエータからフォロア５への力伝達は、フォロアに回転可能に固定されたトーション・ユニット６ａ、６ｂによってフォロア５の各側から行われる。
【００１４】
ドア・ロックは選択部材７（好ましくはねじ）をさらに備え、この部材によってトーション・ユニット６ａまたは６ｂの一方をフォロア５に対して回転不可能であるように留めることができ、それによってロックのその特定の側からの力伝達が常に接続される。そして他方のトーション・ユニットの動作はこのときソレノイド８によって操作可能であり、したがってソレノイド８によって回転されるレバー構成９が、結合部材として働くラッチ１０ａまたは１０ｂに影響を与える。このラッチ１０ａまたは１０ｂは、フォロア５に構成されたスタブ・シャフト１１に回転可能に枢止され、またラッチは、トーション・ユニットからフォロア５への力伝達を接続または切断するように選択される。力伝達を達成するために、レバー構成９はラッチをその接続位置に押す。力伝達の切断は、例えばレバー構成９に磁石（図示せず）を設けることによって提供することができ、この磁石は、ソレノイド８がレバー構成９を操作軸４から離れるように回転させたときにラッチを引き付ける。この構成の基本的な動作は、上述した欧州特許出願公開第１３５４１１２号明細書でも論じられており、この点についてはそれを参照されたい。
【００１５】
図１に示された状況では、最前部のトーション・ユニット６ａ、すなわち図面に示されたトーション・ユニットが選択部材７によってフォロア５と連結しており、それによって力伝達がロックの前面側で、すなわち操作軸からフォロア５を介してかんぬき３に継続的に接続されている。この場合、アクチュエータはキー操作ロック機構またはハンドルなどである。ロックの後面側にある適切なアクチュエータはハンドルなどであり、その動作は、ハンドルからかんぬき３への選択的な力伝達が存在するようにソレノイド８によって制御することができる。図２による状況では、かんぬきは、フォロア５を回転することによってロック・ケーシング内に引き込まれている。
【００１６】
図３によるアセンブリでは、選択部材７がロックの他方の側に移され、したがってロックの後面側でトーション・ユニット６ｂ（図１〜３には図示されていない）を留めている。この場合、かんぬき３の移動は、ソレノイド８によって制御される結合部材１０ａの位置に依存する。図３では、結合部材１０ａがその非接続位置にあり、したがってかんぬき３は、図面に示されたロック側から移動することはできない。
【００１７】
図４〜６は、フォロア５とトーション・ユニット６ａおよび６ｂとの構造および協働をより詳細に示したものである。ここで、２つのトーション・ユニット６ａおよび６ｂは、フォロア５のそれぞれの側に回転可能に適合されている。トーション・ユニットは同一の構造を有しているので、また１つのトーション・ユニット６ａのみが図面で明らかに見られるので、図示された前記トーション・ユニット６ａに主に言及することによってトーション・ユニットの構造を以下に説明する。トーション・ユニットは、操作軸４に設置されるアクチュエータ（図示せず）のためのスピンドル開口６ａ１を有する。トーション・ユニットは、操作軸４からフォロア５への直接的な力伝達が存在しないよう、フォロアに関連して成形および構成される。
【００１８】
フォロア５はスタブ・シャフト１１を備え、そこに、結合部材として働くラッチ１０ａおよび１０ｂが回転可能に固定される。またフォロア５はねじ切り開口１２をさらに備え、その開口１２に、選択部材７が一方のトーション・ユニットの側で設置されて、その特定のトーション・ユニットをフォロアに対して回転不可能であるように留める。この目的のために、トーション・ユニット６ａ（６ｂ）は凹部１３ａ（１３ｂ）を備え、その中に選択部材７の拡張ヘッド７ａを配置することができる。フォロア５は、前記凹部１３ａ（１３ｂ）に延びる、案内面１４ａ１（１４ｂ１）を備えた案内部材１４ａ（１４ｂ）を有する。選択部材７は、その固定位置で、凹部１３ａ（１３ｂ）と案内面１４ａ１（１４ｂ１）の両方と協働する。また案内部材１４ａ（１４ｂ）は、その案内面１４ａ２（１４ｂ２）によってトーション・ユニットの突出部１５ａ（１５ｂ）と協働する。図１〜３に示されるように、突出部１５ａ（１５ｂ）は、ばね構成１６によって影響を及ぼされ、これは、操作軸に設置されたハンドルを水平姿勢で保つことを狙いとしたものである。
【００１９】
図４によれば、トーション・ユニット６ａが選択部材７によってフォロア５に固定接続され、同様に図５では、最後部トーション・ユニット６ｂがフォロア５に固定接続されている。後者の場合、結合部材１０ａがその接続位置にないので、図面中の最前部トーション・ユニット６ａは自由に回転でき、操作軸４からフォロア５への力伝達はない。
【００２０】
図７および図８は、フォロア・ユニットの第２の実施例を利用する別のドア・ロックを示し、その構造は、図９および図１０でより詳細に示されている。基本的な動作は、図１〜６におけるものと同様であり、しかしこの場合、選択部材７のためのねじ切り開口１２が、フォロア５の突出部１７内に構成されている。したがってトーション・ユニット６ａおよび６ｂは、選択部材７のための開口１９ａおよび１９ｂをそれぞれ有する突出部１８ａおよび１８ｂをそれぞれ備えている。またこの場合、継続的な力伝達を受けるトーション・ユニットは、選択部材を前記トーション・ユニットの開口を通してフォロアの開口内に設置することにより、選択部材によって選択される。
【００２１】
図９で、選択部材７は、トーション・ユニット６ａの開口１９ａ内に設置され、それによりトーション・ユニット６ａがフォロア５に継続的な力伝達を提供する。同様に、結合部材１０ｂによって、フォロア５との力伝達に最後部のトーション・ユニット６ｂを選択的に接続することができる。図９によれば、結合部材１０ｂはその接続位置になく、それによりトーション・ユニット６ｂがフォロア５に対して自由に回転可能であり、力伝達はない。図１０では、選択部材７が、最前部のトーション・ユニット６ａから最後部トーション・ユニット６ｂに移されており、それにより、同様にトーション・ユニット６ｂがフォロアと相互接続され、トーション・ユニット６ｂを介するフォロア５への継続的な力伝達が存在する。この場合、ラッチ１０ａもその接続位置にあるので、トーション・ユニット６ａからフォロア５への力伝達も存在する。
【００２２】
本発明は上述した実施例に限定されず、特許請求の範囲内でいくつかの他の変更が考えられる。
【図面の簡単な説明】
【００２３】
【図１】フォロア・ユニットの第１の実施例を１つの動作位置で示す、本発明によるドア・ロックを示す図である。
【図２】フォロア・ユニットの第１の実施例を１つの動作位置で示す、本発明によるドア・ロックを示す図である。
【図３】フォロア・ユニットの第１の実施例を１つの動作位置で示す、本発明によるドア・ロックを示す図である。
【図４】１つの動作位置での、拡大された図１〜３によるフォロア・ユニットの実施例を示す図である。
【図５】１つの動作位置での、拡大された図１〜３によるフォロア・ユニットの実施例を示す図である。
【図６】１つの動作位置での、拡大された図１〜３によるフォロア・ユニットの実施例を示す図である。
【図７】フォロア・ユニットの第２の実施例を１つの動作位置で示す、本発明による別のドア・ロックを示す図である。
【図８】フォロア・ユニットの第２の実施例を１つの動作位置で示す、本発明による別のドア・ロックを示す図である。
【図９】１つの動作位置での、拡大された図７および図８によるフォロア・ユニットの実施例を示す図である。
【図１０】１つの動作位置での、拡大された図７および図８によるフォロア・ユニットの実施例を示す図である。
【図１】
2007510077.tif 000003
【図２】
2007510077.tif 000004
【図３】
2007510077.tif 000005
【図４】
2007510077.tif 000006
【図５】
2007510077.tif 000007
【図６】
2007510077.tif 000008
【図７】
2007510077.tif 000009
【図８】
2007510077.tif 000010
【図９】
2007510077.tif 000011
【図１０】
2007510077.tif 000012
【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
制御可能なハンドル操作を備えたドア・ロックであって、かんぬき（３）と、前記かんぬきを移動させるためのフォロア（５）と、操作軸（４）とを含み、該操作軸（４）の両端部に、前記フォロア（５）を操作するためのアクチュエータを設置することができ、それによって前記ロックの各側から前記フォロア（５）への力伝達が、移動可能な結合部材（１０ａ、１０ｂ）によって確立され、該結合部材（１０ａ、１０ｂ）はソレノイド構成（８、９）などによって制御され、前記フォロア（５）は、該フォロア（５）の異なる側で前記操作軸（４）に設置されるトーション・ユニット（６ａ、６ｂ）であって、前記フォロア（５）に回転可能に固定される２つの別個のトーション・ユニット（６ａ、６ｂ）を備え、該ユニットは、前記結合部材（１０ａ、１０ｂ）を利用することによって、前記フォロア（５）との力伝達に接続されることができる、制御可能なハンドル操作を備えたドア・ロックにおいて、
該ドア・ロックは、前記操作軸（４）の方向に移動可能なねじなどである選択部材（７）を有し、該選択部材（７）は一方のロック側から他方のロック側に移動可能であり、また該部材は、各場合において選択された前記トーション・ユニット（６ａ、６ｂ）を前記フォロア（５）に対して回転不可能であるように留め、前記フォロア（５）は前記選択部材（７）のためのねじ切り開口（１２）を備え、それにより前記ロックのその特定の側で前記操作軸（４）から前記フォロア（５）への力伝達が接続され、前記ロックの他方の側では、前記ソレノイド構成（８、９）の制御の下で前記結合部材（１０ａ、１０ｂ）によって、前記操作軸（４）から前記フォロア（５）への力伝達が選択的に接続または切断されることができることを特徴とするドア・ロック。
【請求項２】
前記トーション・ユニット（６ａ、６ｂ）が凹部（１３ａ、１３ｂ）などを備え、該凹部は、前記選択部材（７）の少なくとも一部を受け入れるように成形されることを特徴とする請求項１に記載のドア・ロック。
【請求項３】
前記選択部材（７）が拡大ヘッド（７ａ）を備え、該拡大ヘッド（７ａ）は、前記選択部材（７）が前記凹部（１３ａ、１３ｂ）などに設置されたときに、前記凹部（１３ａ、１３ｂ）などと協働することを特徴とする請求項２に記載のドア・ロック。
【請求項４】
前記フォロア（５）が案内部材（１４ａ、１４ｂ）を備え、該案内部材（１４ａ、１４ｂ）は、前記フォロア（５）の前記開口（１２）の中心軸線の方向で前記トーション・ユニット（６ａ、６ｂ）の前記凹部（１３ａ、１３ｂ）などに延びており、且つ前記選択部材（７）と協働することを特徴とする請求項２または請求項３に記載のドア・ロック。
【請求項５】
前記案内部材（１４ａ、１４ｂ）が案内面（１４ａ１、１４ｂ１）さらに備え、該案内面（１４ａ１、１４ｂ１）は、前記フォロア（５）が回転される間、前記トーション・ユニットにある突出部（１５ａ、１５ｂ）と協働するように構成されていることを特徴とする請求項４に記載のドア・ロック。
【請求項６】
前記フォロア（５）の前記開口（１２）が突出部（１７）内に構成され、前記各トーション・ユニット（６ａ、６ｂ）がそれに対応する突出部（１８ａ、１８ｂ）をそれぞれ備え、この突出部（１８ａ、１８ｂ）に、前記選択部材（７）のための開口（１９ａ、１９ｂ）が構成され、それによって前記選択部材（７）を設置するための前記フォロアの前記開口（１２）に対して同心円状に前記開口（１９ａ、１９ｂ）が構成されることができることを特徴とする請求項１に記載のドア・ロック。
【国際調査報告】
2007510077.tif 000013
2007510077.tif 000014